(57)【要約】【課題】被検体内の組織をより簡便に識別する。【解決手段】光学測定装置１は、近赤外光を出射する光源１０と、光源１０からの近赤外光の被検体５への照射によって被検体５から出射される被検体５からの透過光又は反射光の強度分布を示す画像を２次元配置された画素によって取得することで画像データを取得するカメラ部３０と、画像データに基づいて、被検体５の各位置における組織を識別する分析部４０と、分析部４０により識別された組織の位置を示す情報を分析結果として出力する出力部５０と、を備える。【選択図】図１
2017064405.tif 000002
【特許請求の範囲】
【請求項１】
近赤外光を出射する近赤外光源と、
前記近赤外光の被検体への照射によって前記被検体から出射される当該被検体からの透過光又は反射光の強度分布を示す画像を２次元配置された画素によって取得することで画像データを取得する撮像手段と、
前記画像データに基づいて、前記被検体の各位置における組織を識別する分析手段と、
前記分析手段により識別された組織の位置を示す情報を分析結果として出力する出力手段と、
を備える光学測定装置。
【請求項２】
前記撮像手段は、前記近赤外光に含まれる第１の波長の透過光又は反射光の強度分布と、前記第１の波長とは異なり前記近赤外光に含まれる第２の波長の透過光又は反射光の強度分布と、を示す画像データを取得し、
前記分析手段は、前記第１の波長の透過光又は反射光の強度分布及び前記第２の波長の透過光又は反射光の強度分布に基づいて、前記被検体の組織を識別する請求項１に記載の光学測定装置。
【請求項３】
前記被検体へ照射される前記近赤外光には、波長１３８０ｎｍ〜１５００ｎｍ及び波長１８８０ｎｍ〜２１００ｎｍの波長帯域の光が含まれない請求項１又は２に記載の光学測定装置。
【請求項４】
前記撮像手段は、波長１０００ｎｍ〜１１４０ｎｍから選ばれる第１の波長の透過光又は反射光の強度分布と、波長１２４０ｎｍ〜１３００ｎｍから選ばれる第２の波長の透過光又は反射光の強度分布と、を示す画像データを取得し、
前記分析手段は、前記画像データに基づいて、前記被検体における血管の位置を特定する請求項１〜３のいずれか一項に記載の光学測定装置。
【請求項５】
前記撮像手段は、波長１１９０ｎｍ〜１２２０ｎｍ及び波長１７００ｎｍ〜１７８０ｎｍから選ばれる波長の透過光又は反射光の強度分布を示す画像データを取得し、
前記分析手段は、前記画像データに基づいて、前記被検体における脂質を多く含む組織又は動脈硬化部の位置を特定する請求項１〜３のいずれか一項に記載の光学測定装置。
【請求項６】
前記撮像手段は、波長１４９０ｎｍ〜１５５０ｎｍ、波長１６１０ｎｍ〜１６５０ｎｍ及び波長１７９０ｎｍ〜１８２０ｎｍから選ばれる波長の透過光又は反射光の強度分布を示す画像データを取得し、
前記分析手段は、前記画像データに基づいて、前記被検体における病巣の位置を特定する請求項１〜３のいずれか一項に記載の光学測定装置。
【請求項７】
前記撮像手段が、波長１０００ｎｍ〜１１４０ｎｍから選ばれる第１の波長の透過光又は反射光の強度分布と、波長１２４０ｎｍ〜１３００ｎｍから選ばれる第２の波長の透過光又は反射光の強度分布と、を示す第１の画像データと、前記撮像手段が、波長１１９０ｎｍ〜１２２０ｎｍ及び波長１７００ｎｍ〜１７８０ｎｍから選ばれる波長の透過光又は反射光の強度分布を示す第２の画像データと、を取得し、
前記分析手段は、前記撮像手段より取得された前記画像データに基づいて、前記被検体における血管における脂質を多く含む組織又は動脈硬化部の位置を特定し、
前記出力手段は、前記分析手段により識別された組織を示す情報を出力する請求項１に記載の光学測定装置。
【請求項８】
前記撮像手段は、波長１１８０ｎｍ〜１２２０ｎｍ及び波長１２７０ｎｍ〜１３１０ｎｍから選ばれる２波長以上の透過光又は反射光の強度分布を示す画像データを取得し、
前記分析手段は、前記画像データに基づいて、前記被検体における神経の位置を特定する請求項１〜３のいずれか一項に記載の光学測定装置。
【請求項９】
前記撮像手段は、波長１２８０ｎｍ〜１３２０ｎｍ及び波長１３８０ｎｍ〜１４２０ｎｍから選ばれる２波長以上の透過光又は反射光の強度分布を示す画像データを取得し、
前記分析手段は、前記画像データに基づいて、前記被検体における筋肉の位置を特定する請求項１〜３のいずれか一項に記載の光学測定装置。
【請求項１０】
近赤外光源からの近赤外光の被検体への照射によって前記被検体から出射される当該被検体からの透過光又は反射光の強度分布を示す画像を撮像手段において２次元配置された画素によって取得することで画像データを取得する撮像ステップと、
前記撮像ステップにおいて取得された前記画像データに基づいて、前記被検体の各位置における組織を識別する分析ステップと、
前記分析ステップにより識別された組織の位置を示す情報を分析結果として出力する出力ステップと、
を備える光学測定方法。
【請求項１１】
前記撮像ステップにおいて、前記近赤外光に含まれる第１の波長の透過光又は反射光の強度分布と、前記第１の波長とは異なり前記近赤外光に含まれる第２の波長の透過光又は反射光の強度分布と、を示す画像データを取得し、
前記分析ステップにおいて、前記第１の波長の透過光又は反射光の強度分布及び前記第２の波長の透過光又は反射光の強度分布に基づいて、前記被検体の組織を識別する請求項１０に記載の光学測定方法。
【発明の詳細な説明】
【技術分野】
【０００１】
本発明は、被検体の組織の識別を行う光学測定装置及び光学測定方法に関する。
【背景技術】
【０００２】
生体内の組織を評価する方法として、例えば特許文献１記載の発明のように、ハンドヘルドプローブを用いて生体に対して近赤外光を照射することで標的組織内に導入された造影剤からの光を収集することで評価を行う方法が知られている。特許文献１記載の発明では、同時にハンドヘルドプローブとは別に、可視光データ、第１の組の近赤外光データ及び第２の組の近赤外光データを取得する３つの撮像装置が設けられ、ハンドヘルドプローブにより取得された近赤外光による情報と、３つの撮像装置により取得された情報とを組み合わせて出力する構成が示されている。
【先行技術文献】
【特許文献】
【０００３】
【特許文献１】特表２０１３−５１４１５６号公報
【発明の概要】
【発明が解決しようとする課題】
【０００４】
しかしながら、特許文献１に記載の方法では、ハンドヘルドプローブの他に３つの撮像装置を設ける必要があり、装置構成が大型且つ複雑であり、実現に際するコストも増大する可能性がある。また、特許文献１に記載の方法では、造影剤を予め患者に投与する必要があり、患者への負担も生じる。
【０００５】
本発明は上記を鑑みてなされたものであり、被検体内の組織をより簡便に識別することが可能な光学測定装置及び光学測定方法を提供することを目的とする。
【課題を解決するための手段】
【０００６】
本願発明の一態様に係る光学測定装置は、
近赤外光を出射する近赤外光源と、
前記近赤外光の被検体への照射によって前記被検体から出射される当該被検体からの透過光又は反射光の強度分布を示す画像を２次元配置された画素によって取得することで画像データを取得する撮像手段と、
前記画像データに基づいて、前記被検体の各位置における組織を識別する分析手段と、
前記分析手段により識別された組織の位置を示す情報を分析結果として出力する出力手段と、
を備える光学測定装置、
である。
【０００７】
本願発明の一態様に係る光学測定方法は、
近赤外光源からの近赤外光の被検体への照射によって前記被検体から出射される当該被検体からの透過光又は反射光の強度分布を示す画像を２次元配置された画素によって取得することで画像データを取得する撮像ステップと、
前記撮像ステップにおいて取得された前記画像データに基づいて、前記被検体の各位置における組織を識別する分析ステップと、
前記分析ステップにより識別された組織の位置を示す情報を分析結果として出力する出力ステップと、
を備える光学測定方法、
である。
【発明の効果】
【０００８】
本発明によれば、被検体内の組織をより簡便に識別することが可能な光学測定装置及び光学測定方法が提供される。
【図面の簡単な説明】
【０００９】
【図１】本発明の実施形態に係る光学測定装置の構成を示す概略説明図である。
【図２】血管、脂肪及び筋肉に係る近赤外帯域の反射率スペクトルを示すグラフである。
【図３】図３（Ａ）は、手の指の可視光画像であり、図３（Ｂ）は、本発明の実施形態に係る光学測定装置による測定により作成された図３（Ａ）に対応する画像である。
【図４】図４（Ａ）は、食肉の上に脂肪を載せた試料の可視光画像であり、図４（Ｂ）は、本発明の実施形態に係る光学測定装置による測定により作成された図４（Ａ)に対応する画像であり、図４（Ｃ）は、図４（Ａ）の試料の脂肪の上にさらに食肉を載せた試料の可視光画像であり、図４（Ｄ）は、本発明の実施形態に係る光学測定装置による測定により作成された図４（Ｃ)に対応する画像である。
【図５】正常細胞及び２種類の癌細胞（癌細胞１、癌細胞２）の培養細胞を計測して得られた吸光度スペクトルの２階微分値を求めた結果を示すグラフである。
【図６】厚さ５０μｍの水に対して近赤外光を照射した際の透過スペクトルを示すグラフである。
【図７】図７（Ａ）は血管及びその周辺の疑似ＲＧＢ画像であり、図７（Ｂ）及び図７（Ｃ）は、複数波長の反射率を利用した演算を行い、グレースケールで表示したものである。
【図８】ブタ組織の反射率スペクトルを標準正規変量に変換したスペクトルを示すグラフである。
【図９】図９（Ａ）は、ブタ組織に係る可視画像であり、図９（Ｂ）は、図９（Ａ）と同じ領域について、反射率スペクトルの標準正規変量の１２００ｎｍにおける値を１２９０ｎｍにおける値で除した値の分布を示した画像である。
【図１０】ブタ組織の反射率吸光度スペクトルの２次微分値を示すグラフである。
【発明を実施するための形態】
【００１０】
［本願発明の実施形態の説明］
最初に本願発明の実施態様を列記して説明する。
【００１１】
本願発明に係る光学測定装置は、近赤外光を出射する近赤外光源と、前記近赤外光の被検体への照射によって前記被検体から出射される当該被検体からの透過光又は反射光の強度分布を示す画像を２次元配置された画素によって取得することで画像データを取得する撮像手段と、前記画像データに基づいて、前記被検体の各位置における組織を識別する分析手段と、前記分析手段により識別された組織の位置を示す情報を分析結果として出力する出力手段と、を備えることを特徴とする。ここで、本願において、「反射」は「拡散反射」を含む。
【００１２】
上記の光学測定装置によれば、近赤外光源からの近赤外光の被検体への照射によって被検体から出射される当該被検体からの透過光又は反射光の強度分布を示す画像を２次元配置された画素によって取得した後に、画像データに基づいて、被検体の各位置における組織が識別される。したがって、従来の装置のように複数の撮像装置を設けることなく、且つ被検体への事前の薬剤投与等を行うことなく、組織の識別が可能となるので、被検体内の組織をより簡便に識別することが可能となる。
【００１３】
また、前記撮像手段は、前記近赤外光に含まれる第１の波長の透過光又は反射光の強度分布と、前記第１の波長とは異なり前記近赤外光に含まれる第２の波長の透過光又は反射光の強度分布と、を示す画像データを取得し、前記分析手段は、前記第１の波長の透過光又は反射光の強度分布及び前記第２の波長の透過光又は反射光の強度分布に基づいて、前記被検体の組織を識別する態様とすることができる。
【００１４】
複数の波長の光の透過光又は反射光の強度分布を用いて被検体の組織を識別する構成とすることで、例えば被検体の凹凸等に由来する透過光又は反射光の強度の変化の影響を低減することができ、より高い精度で被検体の組織の識別を行うことができる。
【００１５】
また、前記被検体へ照射される前記近赤外光には、波長１３８０ｎｍ〜１５００ｎｍ及び波長１８８０ｎｍ〜２１００ｎｍの波長帯域の光が含まれない態様とすることができる。
【００１６】
波長１３８０ｎｍ〜１５００ｎｍ及び波長１８８０ｎｍ〜２１００ｎｍの波長帯域の光は、水がエネルギーを吸収する割合が大きい光である。したがって、光学測定装置が上記の構成を備えることで、被検体が吸収する光のエネルギーを低減することができる。したがって、被検体が加熱されることによって熱傷等が発生することを防ぐことができる。
【００１７】
また、前記撮像手段は、波長１０００ｎｍ〜１１４０ｎｍから選ばれる第１の波長の透過光又は反射光の強度分布と、波長１２４０ｎｍ〜１３００ｎｍから選ばれる第２の波長の透過光又は反射光の強度分布と、を示す画像データを取得し、前記分析手段は、前記画像データに基づいて、前記被検体における血管の位置を特定する態様とすることができる。
【００１８】
上記の構成を備えることで、被検体の組織のうち、血管の位置をより簡便に識別することが可能となる。
【００１９】
また、前記撮像手段は、波長１１９０ｎｍ〜１２２０ｎｍ及び波長１７００ｎｍ〜１７８０ｎｍから選ばれる波長の透過光又は反射光の強度分布を示す画像データを取得し、前記分析手段は、前記画像データに基づいて、前記被検体における脂質を多く含む組織又は動脈硬化部の位置を特定する態様とすることができる。
【００２０】
上記の構成を備えることで、被検体の組織のうち、脂質を多く含む組織又は動脈硬化部の位置をより簡便に識別することが可能となる。
【００２１】
また、前記撮像手段は、波長１４９０ｎｍ〜１５５０ｎｍ、波長１６１０ｎｍ〜１６５０ｎｍ及び波長１７９０ｎｍ〜１８２０ｎｍから選ばれる波長の透過光又は反射光の強度分布を示す画像データを取得し、前記分析手段は、前記画像データに基づいて、前記被検体における病巣の位置を特定する態様とすることができる。
【００２２】
上記の構成を備えることで、被検体の組織のうち、病巣の位置をより簡便に識別することが可能となる。
【００２３】
また、前記撮像手段が、波長１０００ｎｍ〜１１４０ｎｍから選ばれる第１の波長の透過光又は反射光の強度分布と、波長１２４０ｎｍ〜１３００ｎｍから選ばれる第２の波長の透過光又は反射光の強度分布と、を示す第１の画像データと、前記撮像手段が、波長１１９０ｎｍ〜１２２０ｎｍ及び波長１７００ｎｍ〜１７８０ｎｍから選ばれる波長の透過光又は反射光の強度分布を示す第２の画像データと、を取得し、前記分析手段は、前記撮像手段より取得された前記画像データに基づいて、前記被検体における血管における脂質を多く含む組織又は動脈硬化部の位置を特定し、前記出力手段は、前記分析手段により識別された組織を示す情報を出力する態様とすることができる。
【００２４】
上記の構成を備えることで、被検体における血管における脂質を多く含む組織又は動脈硬化部の位置に係る情報を組み合わせて出力することが可能となる。
【００２５】
また、前記撮像手段は、波長１１８０ｎｍ〜１２２０ｎｍ及び波長１２７０ｎｍ〜１３１０ｎｍから選ばれる２波長以上の透過光又は反射光の強度分布を示す画像データを取得し、前記分析手段は、前記画像データに基づいて、前記被検体における神経の位置を特定する態様とすることができる。
【００２６】
上記の構成を備えることで、被検体の組織のうち、神経の位置をより簡便に識別することが可能となる。
【００２７】
また、前記撮像手段は、波長１２８０ｎｍ〜１３２０ｎｍ及び波長１３８０ｎｍ〜１４２０ｎｍから選ばれる２波長 以上の透過光又は反射光の強度分布を示す画像データを取得し、前記分析手段は、前記画像データに基づいて、前記被検体における筋肉の位置を特定する態様とすることができる。
【００２８】
上記の構成を備えることで、被検体の組織のうち、筋肉の位置をより簡便に識別することが可能となる。
【００２９】
本願発明に係る光学測定方法は、近赤外光源からの近赤外光の被検体への照射によって前記被検体から出射される当該被検体からの透過光又は反射光の強度分布を示す画像を撮像手段において２次元配置された画素によって取得することで画像データを取得する撮像ステップと、前記撮像ステップにおいて取得された前記画像データに基づいて、前記被検体の各位置における組織を識別する分析ステップと、前記分析ステップにより識別された組織の位置を示す情報を分析結果として出力する出力ステップと、を備える。
【００３０】
上記の光学測定方法によれば、近赤外光源からの近赤外光の被検体への照射によって被検体から出射される当該被検体からの透過光又は反射光の強度分布を示す画像を２次元配置された画素によって取得した後に、画像データに基づいて、被検体の各位置における組織が識別される。したがって、従来の装置のように複数の撮像装置を設けることなく、且つ被検体への事前の薬剤投与等を行うことなく、組織の識別が可能となるので、被検体内の組織をより簡便に識別することが可能となる。
【００３１】
また、前記撮像ステップにおいて、前記近赤外光に含まれる第１の波長の透過光又は反射光の強度分布と、前記第１の波長とは異なり前記近赤外光に含まれる第２の波長の透過光又は反射光の強度分布と、を示す画像データを取得し、前記分析ステップにおいて、前記第１の波長の透過光又は反射光の強度分布及び前記第２の波長の透過光又は反射光の強度分布に基づいて、前記被検体の組織を識別する態様とすることができる。
【００３２】
複数の波長の光の透過光又は反射光の強度分布を用いて被検体の組織を識別する構成とすることで、例えば被検体の凹凸等に由来する透過光又は反射光の強度の変化の影響を低減することができ、より高い精度で被検体の組織の識別を行うことができる。
【００３３】
［本願発明の実施形態の詳細］
本発明に係る光学測定装置の具体例を、以下に図面を参照しつつ説明する。なお、本発明はこれらの例示に限定されるものではなく、特許請求の範囲によって示され、特許請求の範囲と均等の意味及び範囲内での全ての変更が含まれることが意図される。
【００３４】
図１は、本発明の一実施形態に係る光学測定装置１の構成を示す概略説明図である。光学測定装置１は、光源１０（近赤外光源）、フィルタ部２０、カメラ部３０（撮像手段）、分析部４０（分析手段）、及び出力部５０（出力手段）を含んで構成される。この光学測定装置１は、観察対象物を非侵襲で観察するためのシステムである。被検体５としては、例えば、血管内壁等が挙げられる。
【００３５】
光源１０は、波長１０００ｎｍ〜２５００ｎｍの波長域の光（近赤外光）を出射する光源である。光源１０は、より広帯域の光を出射可能であるとより好ましい。光源１０として、例えば、ハロゲンランプ、キセノンランプ、及びＳＣ（Supercontinuum）光源等が好適に用いられる。
【００３６】
光源１０から出射される光は、コリメータレンズ１５によりコリメートされた後、フィルタ部２０に入射する。
【００３７】
フィルタ部２０は、光源１０からの光の光路上に配置され、光源１０から出射された光を入力し、特定波長の光のみを被検体５に対して出力する。フィルタ部２０には、回折格子や波長可変フィルタ等が用いられる。図１では、フィルタ部２０の一例として、複数のフィルタ２１，２２を含んで形成されたフィルタホイールを示している。光源１０からの入射光に対し、フィルタ２１，２２の位置を変更することによって、特定波長の光を取り出して被検体５の観察対象となる部位に対して出力する。フィルタ部２０の制御は、例えば分析部４０が行う構成とすることができるが、カメラ部３０と連動して動作する構成であってもよい。なお、フィルタ部２０は、特定の波長を選択して撮像するための波長選択素子であれば特に限定されず、例えば、フィルタホイールに代えて、ＡＯＴＦ（Acousto-Optic  Tunable  Filter）、光路選択装置、又は、複数のバンドパスフィルタ等を用いてもよい。
【００３８】
カメラ部３０は、被検体５の観察部位において拡散反射された光を入力し、被検体５に係る画像を取得する手段である。具体的には、光源１０からの近赤外光を被検体５に対して照射することで被検体５からの拡散反射光の強度分布を示す画像を撮像して画像データを出力する撮像手段としての機能を有する。カメラ部３０には、光を電流に変換して出力するＩｎＧａＡｓ又はＨｇＣｄＴｅ等の受光素子が２次元に配置された受光面３１が設けられる。カメラ部３０において取得された上記の画像データは分析部４０へ送られる。
【００３９】
なお、カメラ部３０は、観察対象物の各位置で生じた光のスペクトル情報を有するハイパースペクトル画像を取得する所謂ハイパースペクトルカメラであってもよい。この場合、フィルタ部２０に代えて、プリズムやグリズム、回折格子、フーリエ分光器等の分光素子を含む分光器をカメラ部３０に設け、入力した光を波長毎に分光した後に受光面３１にて受光する構成とすることで、被検体５に係るハイパースペクトル画像を得ることができる。
【００４０】
分析部４０は、カメラ部３０において受光された光に係る画像データに基づいて、被検体５の各位置における組織を識別する分析手段としての機能を有する。分析部４０における分析の方法については後述する。分析の結果は、分析部４０から出力部５０へ送られる。
【００４１】
出力部５０は、分析部４０により識別された組織の位置を示す情報を外部へ出力する機能を有する。出力部５０は、例えばモニタ等により構成される。なお、分析部４０での組織の位置を示す情報を外部に出力する際に、例えば特定の組織を強調表示するための処理等を行う機能を有していてもよい。
【００４２】
上記の光学測定装置１による光学測定方法は以下の通りである。まず、カメラ部３０において、光源１０（近赤外光源）からの近赤外光の被検体への照射によって前記被検体から出射される当該被検体からの透過光又は反射光の強度分布を示す画像を２次元配置された画素によって取得することで画像データを取得する（撮像ステップ）。その後、取得された画像データに基づいて、分析部４０において、被検体の各位置における組織を識別する（分析ステップ）。そして、分析部４０において識別された組織の位置を示す情報を、出力部５０において分析結果として出力する（出力ステップ）。
【００４３】
上記の光学測定装置１による分析の対象は、例えば生体組織であり、具体的には、血管、筋肉及び脂肪等である。生体におけるこれらの組織は表面からは識別が困難である。本実施形態に係る光学測定装置１は、上記の生体組織について、非侵襲で組織ごとに識別することを目的とする。
【００４４】
光学測定装置１のカメラ部３０において取得された画像データに基づく分析部４０における分析方法について説明する。まず、カメラ部３０では、被検体５に係る画像データとして、近赤外光の波長帯域から選ばれる第１の波長及び近赤外光の波長帯域から選ばれる第２の波長における反射率に係る情報を被検体５の位置毎に取得する。すなわち、測定の際には少なくとも２種類の波長の近赤外光を光源１０から被検体５に対して照射する。また、光源１０からの２種類の波長の近赤外光に対する被検体５からの拡散反射光をカメラ部３０ではそれぞれ受光する。これにより、被検体５の位置毎に２種類の波長における反射率に係る情報を取得することができる。なお、光学測定装置１による組織の識別は、１種類の波長の近赤外光を用いた分析でも可能である。ただし、２種類の波長の近赤外光を用いた場合、その精度が向上する。以下の実施形態では、２種類の波長の近赤外光を用いた測定について主に説明する。
【００４５】
上記の情報を取得するためには、被検体５に対して照射される近赤外光を１波長ずつ切り替えていき、カメラ部３０において２回撮像する構成としてもよい。また、被検体５の各位置に対応したスペクトル情報を取得する構成としてもよい。この場合、スペクトル情報を利用した補正等を行うことができるため、組織の識別精度を高めることが可能となる。スペクトル情報の補正方法としては、２階微分やＳＮＶ（Standard  Normal  Variate：標準正規変量）処理等が挙げられる。波長方向に対する２階微分値を用いる場合、オフセット等の補正を行うことなく、組織識別に有用な情報を得ることができる。また、ＳＮＶを用いて補正を行う場合には、光源１０から被検体へ照射される近赤外光の不均一性や表面凹凸形状等に由来する反射光強度の変動を除去することができる。なお、補正方法は、これらに限定されない。
【００４６】
なお、光学測定装置１において各位置に対応したスペクトル情報を取得する構成とする場合には、カメラ部３０をハイパースペクトルカメラとし、ハイパースペクトル画像を取得する構成とすることが好ましい。
【００４７】
上記の２種類の波長とは、識別したい組織に係る吸収スペクトルにおける吸収ピークに対応した第１の波長と、当該吸収ピークとは異なる波長である第２の波長とする。第１の波長の光における反射率のみを用いる場合のように１種類の波長の光に係る反射率のみを用いる場合、被検体５の凹凸やその他に由来した拡散反射光の強度が変化することを考慮できないためである。したがって、第２の波長の光における反射率も用いる。なお、吸収ピークの幅は概ね３０ｎｍ以内であることから、第２の波長は、第１の波長に対して３０ｎｍ以上離れていることが好ましい。なお、第１の波長と第２の波長との差は２００ｎｍ以下であることが好ましい。この差が２００ｎｍよりも大きい場合、第１の波長の光における反射率及び第２の波長の光における反射率のいずれか一方のみが散乱等の他の影響を受ける可能性がある。
【００４８】
分析部４０では、第１の波長の光における反射率及び第２の波長の光における反射率に基づいて、組織の識別を行う。具体的には、第１の波長の光における反射率と第２の波長の光における反射率との比率が所定の範囲内にあるか否かに基づいて分類を行う。
【００４９】
光学測定装置１を用いた分析の実施例を参照しながら、さらに説明する。実施例として、哺乳類動物を切開し、血管、脂肪及び筋肉に係る近赤外帯域の反射率スペクトルを計測し、各波長の反射率を全波長の標準偏差で除した値を計算した結果を図２に示す。
【００５０】
図２に示すグラフによれば、血管は波長帯域１０００ｎｍ〜１１４０ｎｍにおいて、周辺の筋肉及び脂肪組織より反射率が低いため、識別に利用できることがわかる。また、波長帯域１２４０ｎｍ〜１３００ｎｍでは、どの生体組織においても強い吸収ピークがない（緩やかなカーブである）ため、波長帯域１０００ｎｍ〜１１４０ｎｍにおける反射光強度に対する基準の反射光強度として利用できることがわかる。すなわち、波長帯域１０００ｎｍ〜１１４０ｎｍから第１の波長を選択し、波長帯域１２４０ｎｍ〜１３００ｎｍから第２の波長を選択すると、血管を好適に識別することができる。
【００５１】
また、脂肪においては、特徴的な吸収ピーク（下向きのピーク）が波長帯域１１９０ｎｍ〜１２２０ｎｍ又は１７００ｎｍ〜１７８０ｎｍにあるため、この波長帯域の反射光強度を利用して脂肪の部分を特定することができる。脂肪の部分を特定することにより、脂質を多く含む組織又は動脈硬化部を特定することが可能となる。なお、脂質を多く含む組織とは、オイルレッドＯ染色で染色される組織のことを言う。また、筋肉その他については、血管又は脂肪とは識別されない領域を筋肉その他であると判断することにより、識別を行うことができる。
【００５２】
次に、本実施形態に係る光学測定装置１を用いて手の指の血管を観察した結果及び可視光画像を図３に示す。図３（Ａ）は、通常の可視光画像であり、図３（Ｂ）は、光学測定装置１を用いて波長１１１０ｎｍ及び波長１２６０ｎｍを含む波長帯域での反射スペクトルを取得し、ＳＮＶ処理を行った後に、波長１２６０ｎｍにおける反射率に対する波長１１１０ｎｍにおける反射率の比を位置毎に求め、結果をグレースケールで画像化したものである。図３（Ａ）の可視光画像では、指の血管の位置がはっきりと判別ができない。一方、図３（Ｂ）の画像では血管の位置が白く表示されている。すなわち、光学測定装置１を用いることで、皮膚下の表面から見ることができない血管を明瞭に表示することができることが確認された。
【００５３】
図４は、本実施形態に係る光学測定装置１を用いて食肉の上に脂肪を載せた試料及びさらに、食肉によって食肉上の脂肪を被覆した試料を観察した結果及び可視光画像である。図４（Ａ）（食肉上に脂肪を載せた試料）及び図４（Ｃ）（さらに、食肉によって脂肪を被覆した試料）は、通常の可視光画像であり、図４（Ｂ）（図４（Ａ）に対応する画像）及び図４（Ｄ）（図４（Ｃ）に対応する画像）は、光学測定装置１を用いて波長１２１０ｎｍを含む波長帯域での反射スペクトルを取得した後に波長１２１０ｎｍにおける反射光強度の２階微分を求め、その結果をグレースケールで画像化したものである。図４（Ｂ）及び図４（Ｄ）では、脂肪が周囲の筋肉と明瞭に識別画像化できていることがわかる。特に、図４（Ｃ）及び図４（Ｄ）によれば、何らかの組織等により被覆されているために可視光では識別が困難な隠れた組織についても、本実施形態に係る光学測定装置１を用いた測定が有効であることが確認できる。
【００５４】
さらに、本実施形態に係る光学測定装置１では、分析に用いる波長を変更することで、組織に何らかの病巣がある場合の病巣部分を特定することも実現する。病巣部分としては、例えば癌化している部分等が挙げられる。ここで、光学測定装置１を用いて正常細胞及び２種類の癌細胞（癌細胞１、癌細胞２）の培養細胞を計測して得られた吸光度スペクトルの２階微分値を求めた結果を図５に示す。図５によれば、波長帯域１４９０ｎｍ〜１５５０ｎｍ、波長帯域１６１０ｎｍ〜１６５０ｎｍ及び波長帯域１７９０ｎｍ〜１８２０ｎｍのそれぞれにおいて、癌細胞と正常細胞では異なる吸光度２階微分値を持ち、且つ、２種類の癌細胞とも正常細胞より大きい若しくは小さい値を持つことが確認された。したがって、これらの波長帯域における反射スペクトルを取得して、吸光スペクトルを算出した後に、吸光度２階微分値を求めることで、これを利用して癌の疾患部位等の病巣を特定して表示することが可能となる。
【００５５】
図６では、厚さ５０μｍの水に対して近赤外光を照射した際の透過スペクトルを示す。図６によれば、波長帯域１３８０ｎｍ〜１５００ｎｍ及び１８８０ｎｍ〜２１００ｎｍにおいて透過率が大きく減少していることから、吸収率が高いことがわかる。この図６のグラフに基づけば、波長によらず出力が一定である光源を光学測定装置１の光源１０として用いた場合、波長帯域１０００ｎｍ〜２４００ｎｍの光が厚さ５０μｍの水に吸収されるエネルギーのうちの５８％が上記の波長帯域の光が吸収されたことによるものである。したがって、被検体５に対して照射する光から上記の波長帯域の光を除去することで、被検体５が吸収する光のエネルギーを低減することができる。したがって、被検体５が加熱されることによって熱傷等が発生することを防ぐことができる。
【００５６】
なお、生体の組織識別を行う場合には、上記の手法を組み合わせることができる。このとき、特定の組織をより明確に識別するために、複数の波長における反射率の組み合わせに重み付けを行ってもよい。
【００５７】
図７では、血管及びその周辺に係る分析を行った例を示す。図７（Ａ）は血管及びその周辺の疑似ＲＧＢ画像（可視光画像に相当する）である。血管は図７（Ａ）では領域Ａ１に存在する。また、図７（Ｂ）及び図７（Ｃ）は、複数波長の反射率を利用した演算を行い、グレースケールで表示したものである。具体的には、図７（Ｂ）は、光学測定装置１を用いて波長帯域１０００ｎｍ〜２３００ｎｍにおいて反射スペクトルを取得し、ＳＮＶ処理を行った後に、波長１６５８ｎｍ、波長１７２７ｎｍ及び波長１７９６ｎｍにおける反射率を位置毎に求め、以下の数式（１）：
［（波長１６５８ｎｍの反射率＋波長１７９６ｎｍの反射率）／２−波長１７２７ｎｍの反射率］／２    ・・・（１）
を算出し、結果をグレースケールで画像化したものである。上記の数式（１）により、反射率スペクトルにおける脂肪吸収ピーク（１７２７ｎｍ）の深さを算出することが可能であり、主に脂肪が存在する領域、すなわち図７（Ｂ）における領域Ａ２を識別可能な数式である。しかしながら、図７（Ｂ）では、血管を示す領域Ａ１は識別しづらくなっているという問題がある。
【００５８】
これに対して、図７（Ｃ）では、上記の数式（１）に対してヘモグロビンの吸収に対応した項と強調度合いを調節するための係数とを含めた以下の数式（２）：
５×（波長１２８６ｎｍの反射率／波長１１０９ｎｍの反射率）×［（波長１６５８ｎｍの反射率＋波長１７９６ｎｍの反射率）／２−波長１７２７ｎｍの反射率］／２    ・・・（２）
を算出し、結果をグレースケールで画像化した。上記の数式（２）のうち５は強調度合いを調節するための係数であり、（波長１２８６ｎｍの反射率／波長１１０９ｎｍの反射率）は、ヘモグロビンの吸収を強調するための項である。この結果、図７（Ｃ）では、脂肪に対応する領域Ａ２に対して血管に対応する領域Ａ１を強調することができているため、血管内の脂質を多く含む組織すなわち動脈硬化部をより明瞭に識別することができる。
【００５９】
このように、特に識別したい組織がある場合、それを強調することができるように、複数波長の反射率を用いた演算を行うことが好ましい。図７に示す例では、波長１６５８ｎｍ、波長１７２７ｎｍ及び波長１７９６ｎｍにおける反射率を利用している。このように、図７に示す分析例では、波長１６５８ｎｍ及び波長１７２７ｎｍの２つの波長を第１の波長として利用し、波長１７９６ｎｍを第２の波長として用いている。図７に示すように血管及びその周辺の分析を行う場合には、波長１６５８ｎｍを含む波長帯域１６５０ｎｍ〜１６７０ｎｍから選ばれる波長と、波長１７２７ｎｍを含む波長帯域１７２０ｎｍ〜１７４０ｎｍから選ばれる波長と、を第１の波長とし、当該第１の波長における反射率を組み合わせて分析に用いることができる。また、波長１７９６ｎｍを含む波長帯域１７９０ｎｍ〜１８１０ｎｍから選ばれる波長を第２の波長とし、当該第２の波長における反射率を分析に用いることができる。
【００６０】
図８にブタ組織の反射率スペクトルを標準正規変量に変換したスペクトルのグラフを示す。図８によると、波長１１８０ｎｍ〜１２２０ｎｍ及び波長１２７０ｎｍ〜１３１０ｎｍにおけるスペクトルが神経、筋肉、脂肪及び血管壁のそれぞれで異なっている。したがって、特に上記の波長帯域を選択することで神経の画像化が可能となる。また、反射率スペクトルの標準正規変量の１２００ｎｍにおける値を１２９０ｎｍにおける値で除した値の分布を示した結果を図９に示す。図９（Ａ）は、ブタ組織に係る可視画像であり、図９（Ｂ）は、図９（Ａ）と同じ領域について、反射率スペクトルの標準正規変量の１２００ｎｍにおける値を１２９０ｎｍにおける値で除した値の分布を示した画像である。図９に示すように、標準正規変量を用いて得られる数値を画像化することにより、神経の位置を特定可能である。
【００６１】
また、同じくブタ組織の反射率吸光度スペクトルの２次微分のグラフを図１０に示す。図１０によると、波長１２８０ｎｍ〜１３２０ｎｍ及び波長１３８０ｎｍ〜１４２０ｎｍでの２次微分値は、筋肉とその他の組織との間で異なっている。したがって、２次微分値及びその他組織間での差が無い波長をリファレンスとして計算した値を画像化することにより筋肉の位置を特定することが可能となる。
【００６２】
なお、出力部５０において、分析部４０による分析の結果を出力する際には、被検体５の位置毎の演算結果を画像として出力する構成としてもよい。また、例えば、被検体５の可視光画像を他の装置で撮像する場合には、光学測定装置１による演算結果を画像化したものと、他の装置で撮像された可視光画像とを並べて又は重ね合わせて表示する構成としてもよい。このように、出力部５０による演算結果の出力方法は適宜変更することができる。
【００６３】
以上のように、上記の光学測定装置１及び光学測定装置１による光学測定方法によれば、光源１０からの近赤外光の被検体への照射によって被検体から出射される当該被検体５からの反射光の強度分布を示す画像を受光面３１に２次元配置された画素によって取得した後に、分析部４０において画像データに基づいて、被検体５の各位置における組織が識別されて、その結果が出力部５０から出力される。したがって、従来の装置のように複数の撮像装置を設けることなく、且つ被検体への事前の薬剤投与等を行うことなく、組織の識別が可能となるので、被検体内の組織をより簡便に識別することが可能となる。特に、被検体５の撮像から出力までをリアルタイムで実行する構成とした場合、例えば、手術中に医師が被検体５の内部組織の種類を確認しながら処置を行うことが可能となる。
【００６４】
また、上述したように、組織の識別に用いる波長を選択することで、血管の位置を示す情報、脂質を多く含む組織又は動脈硬化部の位置を示す情報、及び、病巣の位置を示す情報を求めることが可能となる。さらに、これらの情報に基づいて、筋肉の位置を示す情報を得ることも可能となる。この場合、出力部５０から、複数の情報を組み合わせて出力することで、光学測定装置１のユーザは複数の種類の組織の識別を一度に認識することができる。
【００６５】
また、光学測定装置１において被検体５に照射される近赤外光には波長１３８０ｎｍ〜１５００ｎｍ及び波長１８８０ｎｍ〜２１００ｎｍの波長帯域の光が含まれない構成とすることで、被検体が吸収する光のエネルギーを低減することができる。したがって、被検体が加熱されることによって熱傷等が発生することを防ぐことができる。
【００６６】
なお、本発明に係る光学測定装置は上記実施形態に限定されない。例えば、上記実施形態のように光学測定装置１における光源１０、フィルタ部２０、カメラ部３０、分析部４０、及び出力部５０の配置は特に限定されない。例えば、上記実施形態では、光源１０とカメラ部３０とが被検体５に対して同じ側に配置されている例を示したが、光源１０とカメラ部３０とが被検体５に対して互いに異なる側に配置されていてもよい。この場合、カメラ部３０は、光源１０からの近赤外光が被検体５を通過した後の透過光を撮像する構成とすることができる。上記実施形態では、カメラ部３０において拡散反射光を撮像して、反射率を用いて演算を行ったが、カメラ部３０において透過光を撮像する場合には、透過光の強度分布を利用して吸収率又は透過率を用いて組織を識別することが好ましい。
【００６７】
また、フィルタ部２０は、光源１０とカメラ部３０との間の光路上のいずれかに配置されていればよい。ただし、被検体５よりも光源１０側、すなわち図１に示す配置とした場合、被検体５に対して照射する光の波長を制限することができるため、被検体５に対して照射する光の光量を低減することができる。
【符号の説明】
【００６８】
１…光学測定装置、１０…光源、２０…フィルタ部、３０…カメラ部、４０…分析部、５０…出力部。
【図１】
2017064405.tif 000003
【図２】
2017064405.tif 000004
【図５】
2017064405.tif 000005
【図６】
2017064405.tif 000006
【図８】
2017064405.tif 000007
【図１０】
2017064405.tif 000008
【図３】
2017064405.tif 000009
【図４】
2017064405.tif 000010
【図７】
2017064405.tif 000011
【図９】
2017064405.tif 000012